(57)【要約】【課題】金属管体本体の耐熱性、耐久性が良好なことにより、制御バルブ体を長期使用し、且つコストを節約する制御バルブ体構造を提供する。【解決手段】制御バルブ体構造は、少なくとも一バルブ台を含み、そのバルブ台内には一個以上之金属管体及び一個以上のバルブ室を設置し、各金属管体の両末端には各々入、出水口を設置する。その入、出水口は、バルブ室と相互に連接し、入、出水口の間には少なくとも一以上の折曲部を形成し、またバルブ台の外部は被覆層で覆う。【選択図】図１
0003131851.tif 000002
【実用新案登録請求の範囲】
【請求項１】
制御バルブ体構造において、その両末端には各々入水口及び出水口を設置する一個以上の金属管体と、金属管体外部を覆う被覆層を少なくとも含むことを特徴とする制御バルブ体構造。
【請求項２】
前記入水口及び出水口は、その間に少なくとも一以上の折曲部、もしくは二以上の折曲部を具えることを特徴とする請求項１記載の制御バルブ体構造。
【請求項３】
前記制御バルブ体構造は、更に一バルブ台を設置し、そのバルブ台内には一個以上の金属管体及び一個以上のバルブ室を設置し、金属管体両末端の入水口及び出水口はバルブ室と相互に連接することを特徴とする請求項１記載の制御バルブ体構造。
【請求項４】
前記バルブ台は、冷水、熱水及び出水金属管体を設置するか、もしくは冷水、熱水及び二個の出水金属管体を設置することを特徴とする請求項３記載の制御バルブ体構造。
【請求項５】
前記バルブ室は、制御部品に連接することを特徴とする請求項３記載の制御バルブ体構造。
【請求項６】
前記制御部品は、バルブ室箇所に伸び、一バルブ口を形成し、別側は一球状軸体を形成することを特徴とする請求項５記載の制御バルブ体構造。
【考案の詳細な説明】
【技術分野】
【０００１】
本考案は、制御バルブ体構造に関するもので、特に金属管体(銅材質でもよい)外を被覆層(プラスチック材質でもよい)で覆い、金属管体を何度も折曲して成形する過程が簡単になり、更に金属管体本体の耐熱性、耐久性が良好なことから、長期使用でき、且つコスト節約に有効な制御バルブ体構造である。
【背景技術】
【０００２】
公知の冷、熱水を混合する制御バルブ体は、ほとんどが金属鋳造方式で作られたもので、この制御バルブ体を一般の蛇口内に設置し、蛇口の控制により、水温、水量、開閉を調整する機能を具える。しかし、この制御バルブ体は、通常鋳造方式で製造されるため、制御バルブ体の内部に必要な中空の孔の水道、バルブ室等部分は、中空の孔を必要とする位置に予め中子を置き、続いて金属液を注いで成形する。この製造過程では、中子の定位は難しく、生産速度及び良品率に影響する。更に一般制御バルブ体には折曲した管道(冷、熱水もしくは混合水を輸送する管道)があり、公知の金属鋳造方は成型しにくい。更にこの鋳造方式で成形した制御バルブ体は数々の研磨、バッフィング等加工工程が必要で、非常に手間と、時間及びコストがかかり、更に研磨、バッフィングした時の金属粉は環境問題ともなる。
【０００３】
上述の問題を改善するため、台湾実用新案登録第２８４２６５号，案件名「プラスチック成型冷熱混合蛇口構造」では、射出成型方式で制御バルブ体を製造しており、その製造方式は、射出成型で水道、水孔、バルブ室等の中空プラスチック材質部品を製造し、次に本体を接合する。そしてその制御バルブ体を金型内に置き、射出成型方式で制御バルブ体の外部に一被覆層で覆う。更にバルブ室、冷熱水孔及び出水管等部位の外部と通じる箇所に対して対称に、それぞれ数個の孔を成形し、プラスチック材質の制御バルブ体を製造する。
【特許文献１】台湾  実用新案登録第２８４２６５号
【考案の開示】
【考案が解決しようとする課題】
【０００４】
解決しようとする問題点は、冷、熱水どちらも射出したプラスチック材質水道と直接接触すると、プラスチック材質に対して強い熱衝撃が発生する。プラスチック材質は熱衝撃を受ける能力が相対して弱いため、この方法で製造した蛇口には耐久性に問題が発生する。この他、熱水道の熱水水温が高く、且つ長時間使用した時、化学物質が熱水に溶け出して水質を汚染する可能性がある点である。
【課題を解決するための手段】
【０００５】
本考案は、少なくとも一バルブ台を含み、そのバルブ台内には一個以上の金属管体及び一個以上のバルブ室を設置し、各金属管体の両末端には各々入、出水口を設置する。その入、出水口は、バルブ室と相互に連接し、入、出水口の間には少なくとも一以上の折曲部を形成し、またバルブ台の外部は被覆層で覆うことを最も主要な特徴とする。
【考案の効果】
【０００６】
本考案の制御バルブ体構造は、金属管体本体の耐熱性、耐久性が良好なことで、制御バルブ体を長期使用し、且つコストを節約するという利点がある。
【考案を実施するための最良の形態】
【０００７】
本考案の主な目的は、一種の金属管体(銅材質でもよい)外を被覆層(プラスチック材質でもよい)で覆い、金属管体を何度でも折り曲げるのが簡単で、且つ金属管体本体の耐熱性、耐久性がよいことによって、長期に使用し、且つコストを節約する制御バルブ体構造を提供することである。
【０００８】
上述の目的のため、少なくとも一バルブ台を含み、そのバルブ台内に一個以上の金属管体及び一個以上のバルブ室を設置し、金属管体両末端に各々入水口及び出水口を設置する。その入水口及び出水口は、バルブ室と相互に連接し、入水口及び出水口の間は湾曲区を形成し、少なくとも一以上の折曲部を具え、またバルブ台外部は被覆層で覆い、通過した熱水と金属管体の接触は熱水とプラスチックの接触とは異なり、化学物質が溶け出して水質を汚染することがない。
【実施例１】
【０００９】
本考案の制御バルブ体構造１は、第一図及び第２図に示すとおりで、少なくとも一個以上の金属管体１１(銅材質でもよい)、及び金属管体１１外部を覆う被覆層１２(プラスチック材質でもよい)を含み、成形が簡単で、ただ折曲するだけで成型し、且つ金属管体本体の耐熱性、耐久性がよいことから、非常に長く使用できるので、コストの節約になるバルブ体構造である。更に通過する熱水が金属管体と接触してもプラスチックと接触するのと異なり、化学物質が溶け出して水質を汚染する問題も発生しない。
【００１０】
第２図に示す実施例に於いて、この制御バルブ体構造１は、少なくとも一バルブ台１３を含み、そのバルブ台１３内には、一個以上の金属管体及び一個以上のバルブ室１３１を設置する。図に示すとおり、このバルブ台１３内には冷水、熱水及び出水金属管体１１１、１１２、１１３を設置し、各金属管体の両末端にはそれぞれ入水口１４及び出水口１５を設置する。この冷、熱水金属管体１１１、１１２の出水口１５と、出水金属管体１１３の入水口１４は、バルブ室１３１と相互に連接する。第３図に示すとおり、この入水口１４及び出水口１５の間には少なくとも一以上の折曲部１１６を形成する湾曲区を形成するか、または少なくとも二以上の折曲部１１６、１１７を形成する湾曲区を具える。図に示すとおり、そのうちこの出水金属管体１１３の入、出水口１４、１５の間の湾曲区は第一折曲部１１６を形成し、また冷、熱水金属管体１１１、１１２の入、出水口１４、１５の間の湾曲区には第一、二折曲部１１６、１１７を形成する。
【００１１】
この他、このバルブ室１３１は、制御部品２と連接し、第四図及び第５図に示すとおり、制御部品２はバルブ室１３１に伸びる箇所に一バルブ口２１を形成し、別側には一球状軸体２２を形成する。球状軸体２２がバルブ口２１と各入水口及び出水口重畳した区域を回転制御することにより、冷水、熱水金属管体１１１、１１２内の冷、熱水が出水金属管体１１３に流入する流入量及び水温を制御する。
【００１２】
第５図に示すとおり、バルブ口２１は、出水金属管体１１３の入水口１４箇所で入水口１４と相互に重畳し、制御部品２のその他部分が冷水、熱水金属管体１１１、１１２の出水口１５を遮蔽し、冷水、熱水金属管体１１１、１１２の水がバルブ口２１から出水金属管体１１３へ進入できなくなり、無給水状態を形成する。
【００１３】
第６図に示すとおり、バルブ口２１が冷水金属管体１１１の出水口１５と、出水金属管体１１３の入水口１４を同時に部分面積重畳すると、冷水金属管体１１１の冷水がバルブ口２１から出水金属管体１１３へ流入し、使用者のもとに流れ出る。
【００１４】
第７図に示すとおり，バルブ口２１が冷、熱水金属管体１１１、１１２の出水口１５、及び出水金属管体１１３の入水口１４を同時に部分面積重畳すると、冷、熱水金属管体１１１、１１２の冷、熱水が、バルブ室１３１へ進入して混合した後、再び出水金属管体１１３から流出し、冷、熱の混合水が使用者に供される。
【実施例２】
【００１５】
バルブ台１３内には、冷水、熱水及び二個の出水金属管体１１１、１１２、１１３が設置され、第８図に示すとおり、各金属管体の両末端には同様に入水口１４及び出水口１５が設置され、その入水口１４及び出水口１５は、バルブ室１３１と相互に連接し、冷、熱水金属管体１１１、１１２の水をそれぞれ二個の出水金属管体１１３から流出させて使用者に供する。
【００１６】
本考案の技術内容及び技術特徴は、上述の通りであるが、本項に詳しいものが、本考案を基本として各種本考案から背理しない入替、修飾を行った場合、本考案の保護範囲は実施例に制限されず、各種背理しない入替及び修飾を含み、本考案の範囲に属する。
【図面の簡単な説明】
【００１７】
【図１】本考案の金属管体と被覆層の結合指示図である。
【図２】本考案の制御バルブ体の構造立体図である。
【図３】本考案の各金属管体の構造立体図である。
【図４】本考案の制御バルブ体と制御部品の構造立体図である。
【図５】本考案の制御バルブ体の無給水状態の構造指示図である。
【図６】本考案の制御バルブ体の冷水供給状態之構造指示図である。
【図７】本考案の制御バルブ体の冷、熱水供給状態の構造指示図である。
【図８】本考案の制御バルブ体の別の一構造指示図である。
【符号の説明】
【００１８】
１        制御バルブ体構造
１１        金属管体
１１１        冷水金属管体
１１２        熱水金属管体
１１３        出水金属管体
１１６        第一折曲部
１１７        第二折曲部
１２        被覆層
１３        バルブ台
１３１        バルブ室
１４        入水口
１５        出水口
２        制御部品
２１        バルブ口
２２        球状軸体
【図１】
0003131851.tif 000003
【図２】
0003131851.tif 000004
【図３】
0003131851.tif 000005
【図４】
0003131851.tif 000006
【図５】
0003131851.tif 000007
【図６】
0003131851.tif 000008
【図７】
0003131851.tif 000009
【図８】
0003131851.tif 000010